(57)【要約】【課題】位置ずれや密着などを生じさせずに超薄型光情報記録媒体を確実に搬送することを可能にした情報記録媒体用ハブを提供する。【解決手段】ディスク状情報記録媒体の一主面を受ける受け面を有する基部と、前記基部の受け面において形成され前記ディスク状情報記録媒体のセンタホールに嵌る凸部とを備える。【選択図】図１
2007213675.tif 000002
【特許請求の範囲】
【請求項１】
超薄型ディスク状情報記録媒体を保持する情報記録媒体用ハブであって、前記ディスク状情報記録媒体の一主面を受ける受け面を有する基部と、前記基部の受け面において形成され前記ディスク状情報記録媒体のセンタホールに嵌る凸部とを備えることを特徴とする情報記録媒体用ハブ。
【請求項２】
前記基部は前記凸部の裏側に形成された凹部をさらに備えることを特徴とする請求項１記載の情報記録媒体用ハブ。
【請求項３】
前記凹部は、ディスク状情報記録媒体用ドライブ装置における前記ディスク状情報記録媒体のセンタホールを嵌めるための凸部が嵌る形状を有することを特徴とする請求項２記載の情報記録媒体用ハブ。
【請求項４】
前記ディスク状情報記録媒体に対して着脱可能であることを特徴とする請求項１ないし３のいずれか１項記載の情報記録媒体用ハブ。
【請求項５】
前記凸部には情報記録媒体搬送手段に結合する突起をさらに設けられていることを特徴とする請求項１ないし４のいずれか１項記載の情報記録媒体用ハブ。
【請求項６】
前記凸部には情報記録媒体搬送手段に結合する穴をさらに設けられていることを特徴とする請求項１ないし４のいずれか１項記載の情報記録媒体用ハブ。
【発明の詳細な説明】
【技術分野】
【０００１】
本発明は、ディスク状情報記録媒体用のハブに関し、特に超薄型光情報記録媒体用の着脱式ハブに関する。
【背景技術】
【０００２】
近年、コンピュータ用情報ならびに、音声や静止画像、動画像などの情報を保存するための記録媒体として光情報記録媒体が実用化されている。光情報記録媒体は更なる高密度化や高速転送化に向け開発が進められている一方、記録再生を行うドライブ装置が将来的に到達すると予想される薄型化や小型化の方向に対応できるように、光情報記録媒体自体の厚みに関しては、より薄型化が望まれている。このため、既存のディスクの基板部分をさらに薄型化させた超薄型光情報記録媒体の開発が進められている。
【０００３】
現在、市場に流通している光情報記録媒体の多くは機械的強度が十分に満足できるような厚みに基板が設計されているため、例えば、ドライブ装置内でカートリッジから取り出してターンテーブルまで移動させるための媒体搬送手段には、光情報記録媒体のセンタホール付近もしくは最外周部分を直接保持して搬送する方式も採用されている。例えば、カートリッジをドライブ装置に挿入すると、カートリッジから光情報記録媒体が外周を保持されて引き出され、そのままスライドしてターンテーブルにセットされる。このように、従来の光情報記録媒体は板厚があるため、外周を保持することができる。
【特許文献１】特開２００５−３５３２０２
【発明の開示】
【発明が解決しようとする課題】
【０００４】
しかし、光情報記録媒体を薄型化すると、それに比例して機械的強度は低下してしまう。その結果、例えば、超薄型光情報記録媒体を収容したカートリッジから取り出し、さらにそれを記録再生するドライブ装置へ搬送させる機構などにおいては、搬送時に媒体搬送手段が作用する力に十分耐えるだけの基板の強度がなく、超薄型光情報記録媒体を確実に保持することができないという問題が生じていた。
【０００５】
上述したようにきわめて薄型化された超薄型光情報記録媒体は、基板を薄くしたために強度不足が生じ、自重でも容易に変形が生じてしまう。このような超薄型光情報記録媒体に従来のような光情報記録媒体のセンタホール付近もしくは最外周部分を直接保持して搬送する方式を用いることは非常に困難である。これを解決するために、従来のパーソナルコンピュータ用のドライブ装置や、民生用ＣＤプレーヤ、ＤＶＤプレーヤでは、ピックアップレンズとスピンドルターンテーブル用の穴のみが開けられたトレイにディスクを載せると、そのままドライブ装置内に引き込まれ、スピンドルターンテーブルにセットされるものがあるが、これと同様に、超薄型光情報記録媒体の面全体を均一な受け面で保持できるようなトレイに載せ、このトレイごと搬送する手段が提案されている。しかし、超薄型光情報記録媒体は薄くてかつ重量が軽いため、搬送する際に発生する風圧などで位置ずれしてしまったり、摩擦で発生する静電気による吸着などで必要以上に皿に密着してしまうなどの問題があった。
【０００６】
本発明の目的は、上記問題を解決し、位置ずれや密着などを生じさせずに超薄型光情報記録媒体を確実に搬送することを可能にした情報記録媒体用ハブを提供することにある。
【課題を解決するための手段】
【０００７】
本発明による情報記録媒体用ハブは、前記ディスク状情報記録媒体の一主面を受ける受け面を有する基部と、前記基部の受け面において形成され前記ディスク状情報記録媒体のセンタホールに嵌る凸部とを備えることを特徴とする。
【０００８】
好適には、前記基部は前記凸部の裏側に形成された凹部をさらに備える。
【０００９】
好適には、前記凹部は前記ディスク状情報記録媒体用ドライブ装置における前記ディスク状情報記録媒体のセンタホールを嵌めるための凸部に嵌る形状を有する。
【００１０】
好適には、前記ディスク状情報記録媒体に対して着脱可能とする。
【００１１】
好適には、前記凸部には情報記録媒体搬送手段に結合する突起をさらに設ける。
【００１２】
好適には、前記凸部には情報記録媒体搬送手段に結合する穴をさらに設ける。
【発明の効果】
【００１３】
本発明によれば、ディスク状超薄型光情報記録媒体を確実に保持して搬送することが可能になり、ドライブ装置へのセッティング時の確実性を上げることができる。
【発明を実施するための最良の形態】
【００１４】
以下、本発明の実施の形態を、図面を参照して説明する。なお、各図において同様の要素には同一の符号を付す。
【００１５】
図１は、例えば超薄型ディスク状光情報記録媒体である情報記録媒体と、これに用いる本発明による情報記録媒体用ハブの一実施例を示す斜視図である。情報記録媒体１には、センタホール２が設けられる。情報記録媒体１は、例えば、外径や内径が従来のコンパクトディスクやＤＶＤと同様で、厚みが０．１〜０．２ｍｍのものであってもよい。情報記録媒体１に用いられるドライブ装置（図示せず）のターンテーブルには、情報記録媒体１のセンタホール２に嵌る凸部が設けられている。従来は、このような凸部をセンタホール２に直接嵌め、例えばキャップとなる自由に回転する押さえ冶具（図示せず）で上方から固定した状態において前記ドライブ装置のモータを回転させることにより、情報記録媒体１を回転させ、情報の記録再生を行っていた。
【００１６】
情報記録媒体用ハブ３は、情報記録媒体１を受ける受け面５を有する基部４と、受け面５の好適にはほぼ中央に設けられ、情報記録媒体１のセンタホール２に嵌る凸部６とを備える。記録再生用のピックアップが情報記録媒体１の下方に設けられる場合、受け面５は情報記録媒体１の情報記録領域をふさがないように情報記録領域より内周の部分より小さくする必要がある。記録再生用のピックアップが情報記録媒体１の上方に設けられる場合、受け面５はより大きくてもよく、情報記録媒体１と同じ寸法、またはそれ以上であってもよい。凸部６の裏側には凹部が設けられる。この凹部は、前記ドライブ装置のターンテーブルの凸部に嵌るように形成される。通常、前記ドライブ装置の凸部はほとんどクリアランスなくセンタホール２に嵌る寸法に設計されるため、情報記録媒体用ハブ３は、特に凸部６と凹部との間の厚みを薄く形成し、凸部６が前記ドライブ装置の凸部とほぼ同じ形状および寸法を有するようにすることが望ましい。このようにすれば、図１の状態で見て情報記録媒体１を情報記録媒体用ハブ３の上方から下降させ、受け面５の位置まで下降しきったところでセンタホール２と凸部６は余計なクリアランス無く嵌るようになる。この状態において、前記ドライブ装置の前記凸部を情報記録媒体用ハブ３の凹部に嵌め、例えば前記ドライブ装置の機械的手段によって固定し、前記ドライブ装置のモータを回転させ、従来と同様に情報の記録再生を行うことができる。この際、情報記録媒体１の下面は受け面５によってのみ支えられ、ターンテーブルには接触しない。受け面５と情報記録媒体１とのスリップはドライブ装置のモータをインバータ式にするなどして回避できるため、情報記録媒体用ハブ３の摩擦係数や材質は限定されない。
【００１７】
図２は、本発明による情報記録媒体用ハブの他の実施例を示す断面図である。この図において、凸部６の裏面に形成される凹部７も示す。情報記録媒体用ハブ３は、凸部６に設けられた突起８をさらに備える。この突起８は、搬送時に搬送手段に結合される。突起８は、情報記録媒体を情報記録媒体用ハブ３に着脱する際には邪魔にならない。例えば、突起８に絞りを設け、搬送手段のアームと絞った部分を結合させるようにしてもよい。図３は、本発明による情報記録媒体用ハブのさらに他の実施例を示す断面図である。情報記録媒体用ハブ３は、突起８の代わりに凸部６に設けられた穴９を備える。この場合、例えば、前記搬送手段は、この穴９に嵌合して先端の径が可変する機構を有するシャフトを有してもよい。このような突起８または穴９を前記搬送手段に結合することにより、情報記録媒体は情報記録媒体用ハブ３に保持されたまま、前記搬送手段によって、例えばドライブ装置のターンテーブルまで搬送することができる。
【００１８】
情報記録媒体がカートリッジに収容されている場合、カートリッジ下部から情報記録媒体１のセンタホール２をくぐらすように情報記録媒体用ハブ３の凸部６を通し、そのまま横にスライドさせて情報記録媒体１をカートリッジから取り出す。この際、カートリッジは開放状態である。
【００１９】
上述したような本発明による情報記録媒体用ハブによれば、従来のように超薄型光情報記録媒体を直接保持して搬送させる場合に必要だった、超薄型光情報記録媒体の基板を厚くするとか、全体に金属膜を余計に厚く塗布するなどして基板に強度を持たせる工夫が必要なくなる。そのため、超薄型にすることで容量を稼ぐ、あるいは装置全体を薄型にできるという超薄型光情報記録媒体のメリットを犠牲にすることなく、信頼性の高いドライブ装置の搬送機構を実現することができる。
【００２０】
また、超薄型光情報記録媒体のセンタホール部をドライブ装置のターンテーブルの凸部に直接着脱ロックしないので、センタホール部を傷めるおそれがなくなる。
【００２１】
さらに、複数枚の超薄型光情報記録媒体をディスク収納部またはカートリッジに収容し、選択的に取り出して使用するような装置においても、超薄型光情報記録媒体の枚数に対応した枚数の情報記録媒体用ハブは必要なく、最低１つの情報記録媒体用ハブがあればよい。したがって、装置全体の容積やコストを削減でき、同時に確実性が高い搬送機構を実現することができる。
【産業上の利用可能性】
【００２２】
本発明は情報記録媒体用ハブに利用可能である。
【図面の簡単な説明】
【００２３】
【図１】情報記録媒体と、これに用いる本発明による情報記録媒体用ハブの一実施例を示す斜視図である。
【図２】本発明による情報記録媒体用ハブの他の実施例を示す断面図である。
【図３】本発明による情報記録媒体用ハブのさらに他の実施例を示す断面図である。
【符号の説明】
【００２４】
１  情報記録媒体
２  センタホール
３  情報記録媒体用ハブ
４  基部
５  受け面
６  凸部
７  凹部
８  突起
９  穴
【図１】
2007213675.tif 000003
【図２】
2007213675.tif 000004
【図３】
2007213675.tif 000005